【事件の表示】
　平成１１年特許願第　１２２８３号「遊戯台」拒絶査定不服審判事件〔平成１２年　８月　２日出願公開、特開２０００−２１０４１１〕について、次のとおり審決する。
【結　論】
　本件審判の請求は、成り立たない。
【理　由】
１．手続の経緯
　本願は、平成１１年１月２０日の出願であって、平成１３年６月４日付けで拒絶査定がなされ、これに対し、平成１３年７月１１日に拒絶査定に対する審判請求がなされるとともに、同日付けで手続補正がなされたものである。
　
２．平成１３年７月１１日付けの手続補正について
　上記補正は、旧請求項１、３、６を削除し、旧請求項２を請求項１に、旧請求項４を請求項２に、旧請求項５を請求項３にそれぞれ補正したものであるから、特許法第１７条の２第４項第１号に掲げる請求項の削除を目的とする。
　 
３．本願発明
　本願の請求項１ないし３に係る発明のうち、その請求項１に係る発明（以下、本願発明という。）は、平成１３年７月１１日付け手続補正書により補正された明細書及び図面の記載からみて、その請求項１に記載された事項により特定される次のとおりのものである。
「【請求項１】複数種類の絵柄が表に配置された回転可能なリールを複数個備え、前記絵柄をリール表示窓上で停止させ、前記リールの停止時における前記リール表示窓上の絵柄の組み合わせから入賞を定め、所定数のメダルを払い戻す遊戯台であって、
　各入賞ライン毎に、入賞ライン上に揃える入賞の絵柄の組合わせと、入賞の種類を定め、
　該定めた入賞の種類に基づいて、ゲームを行った結果により得られる入賞の種類を、該ゲームにおいて投入したメダルの枚数に対応して予め定められた入賞ライン上の絵柄の組合せにより定め、
　
同じ入賞の種類について、各入賞ライン毎に異なる前記入賞絵柄の組合せがあるこ
　
４．刊行物の記載内容
　これに対して、原審の拒絶の理由に引用され、本願の出願前に頒布された特開平４−３２９９７６号公報（以下、刊行物という。）には、次のことが記載されている。
「【０００１】【産業上の利用分野】本発明は普通ゲームとボーナスゲームとを楽しむことができると共に、メダル投入数に対応して図柄組合せラインを累進的に増大させることができるスロットマシンに関するものである。」、
「【０００７】【作用】本願の第１発明及び第２発明によれば、メダル投入個数・・・の数値が１、２、３のとき、夫々５つのラインの内の１ライン、３ライン、５ライン上の図柄組合せを有効ライン上の図柄組合せと判断される。」、
「【００１３】【実施例】本発明の一実施例であるスロットマシンは、図２及び図３に示すように、３個のリール１ａ、１ｂ、１ｃを有し、夫々のリール１ａ、１ｂ、１ｃはパルスモータ２ａ、２ｂ、２ｃによって回転駆動される。各リール１ａ、１ｂ、１ｃの外周には等間隔に図柄３、３、・・・が表示されている。４はスタートレバーで、これを操作することにより一せいにパルスモータ２ａ、２ｂ、２ｃが駆動状態となり、３個のリール１ａ、１ｂ、１ｃが同時に回転する。５ａ、５ｂ、５ｃは各リール１ａ、１ｂ、１ｃに対応して設けられたストップボタンで、これを押すことにより対応するパルスモータ２ａ、２ｂ、２ｃ、ひいては対応するリール１ａ、１ｂ、１ｃを後述のように停止させることができる。
【００１４】各リール１ａ、１ｂ、１ｃの停止時には、各リール１ａ、１ｂ、１ｃにつき上中下の３個の図柄３、３、…が表示窓（表示部）６に表示され、従って全体として縦横各３列の９個の図柄３、３、…が表示窓６に表示される。スロットマシンの前面には、前記図柄３、３、…の組合せラインである５種類のラインが設けられている。すなわち、中央ライン７ａ、上段ライン７ｂ、下段ライン７ｃ、右上り斜ライン７ｄ、右下り斜ライン７ｅが設けられており、これらのライン上にある前記図柄３、３、・・・の３個の組合せが、普通ゲームにおける入賞の有無、ペイアウト数の判断対象となる。」、
「【００２１】・・・このようにコンピュータ制御部１１、メダル払出機１４等により、普通ゲームを制御する普通ゲームコントロール手段Ｃが構成されている。この普通ゲームは周知のように、有効ライン上に例えばオレンジの図柄が３個並んだとき、メダル１０枚を払出したり、鈴の図柄が３個並んだとき、メダル１５枚を払出したりするものである。
【００２２】前記コンピュータ制御部１１は、普通ゲームにおいて有効ライン上の図柄組合せが特定の図柄組合せのとき普通ゲームからボーナスゲームに移行させる機能を備えている。具体的には、コンピュータ制御部１１は、有効ライン上の図柄組合せが特定の図柄組合せ、例えば「７、７、７」の組合せか否かを判断し、特定の図柄組合せのときには、上記に述べた普通ゲームコントロール手段Ｃによる制御から後述のボーナスゲームコントロール手段Ｅによる制御に切換えるように構成されている。・・・」、
「【００２５】コンピュータ制御部１１は、そのメモリ部に上述のように普通ゲーム時においての特定の図柄組合せ（例えば「７、７、７」）がどのライン上で成立したかが記憶されていて、このラインを特定ラインと定め、特定ライン上に特別のシンボルが位置したときにボーナスゲーム入賞と判断するように構成されている。ボーナスゲーム時には図２に示すように、普通ゲームに使用する図柄３に選択的に併記されているシンボル３ａ、図示する例では「ＪＡＣ」が特定ライン上に停止したときのみを入賞としている。又コンピュータ制御部１１は、普通ゲームにおいて特定の図柄組合せが得られたラインに応じて入賞時の払出し数が異なるように定めている。例えば次のように定めている。」
【００２６】
　　　　中央ライン　　　　　１５枚
　　　　上段ライン　　　　　３０枚
　　　　下段ライン　　　　　３０枚
　　　　右上り斜ライン　　　４５枚
　　　　右下り斜ライン　　　４５枚
　従って、例えば普通ゲーム時に３メダルが投入され、「７、７、７」が右上り斜ライン７ｄ上に揃ったときは、ボーナスゲーム時に左側のリール１ａの表示窓左下位置に「ＪＡＣ」がくれば４５枚のメダル払出しが行なわれ、その位置に「ＪＡＣ」がこなければメダルの払出しが行なわれない。又この場合、中央のリール１ｂの表示窓中央位置に、右側のリール１ｃの表示窓右上位置に夫々「ＪＡＣ」がくれば４５枚のメダル払出しが行なわれる。
【００２７】
　普通ゲーム時に３メダルが投入されていても、「７、７、７」が中央ライン７ａ上に揃ったときは、ボーナスゲームの入賞払出し数は夫々１５枚となる。
【００２８】
　又普通ゲーム時に２メダル投入した場合には、特定ラインが中央ライン７ａ、上段ライン７ｂ、下段ライン７ｃに限定されるのでボーナスゲームの入賞払出し数は１５枚か３０枚かになる。普通ゲーム時に１メダル投入した場合は、特定ラインが中央ライン７ａに限定されるのでボーナスゲームの入賞払出し数は１５枚に限定される。」、
「【００３２】上記実施例では、ボーナスゲームを各リール停止時の特定ライン上の図柄の夫々に対し入賞の有無を判断して行うスロットマシン（上記実施例では特別のシンボル「ＪＡＣ」３ａが特定ライン上にくるか否かでボーナスゲームの入賞の有無を判断している。）に係るものであるが、ボーナスゲームを次のようにして行う公知のスロットマシンに対しても本発明を適用することができる。すなわち、特定ライン上の図柄組合せであって、普通ゲームの図柄３に選択的に併記されているシンボル３ａが３つ揃ったか否かでボーナスゲームの入賞の有無を判断するスロットマシンにも本発明を適用することができる。」。
　上記記載及び図面の記載からみて、上記刊行物には、「複数種類の図柄３が表に配置された回転可能なリール１aないし１cを複数個備え、前記図柄を表示窓６上で停止させ、前記リールの停止時における前記表示窓６上の図柄の組み合わせから入賞を定め、所定数のメダルを払い戻すスロットマシンであって、普通ゲームは有効ライン７aないし７e上に例えばオレンジの図柄が３個並んだとき、メダル１０枚を払出したり、鈴の図柄が３個並んだとき、メダル１５枚を払出したりするものであり、有効ライン上の図柄組合せが、例えば「７、７、７」のときには、ボーナスゲームに切換えるようにし、有効ラインはゲームにおいて投入したメダルの枚数に対応して予め定められるスロットマシン。」の発明が記載されていると認められる。
　
５．対比・判断
　本願発明と上記刊行物　記載の発明とを対比すると、上記刊行物記載の発明の「図柄３」、「表示窓６」、「スロットマシン」、「有効ライン７aないし７e」が、それぞれ、本願発明の「絵柄」、「リール表示窓」、「遊戯台」、「入賞ライン」に相当し、刊行物記載の発明では、普通ゲームは有効ライン上に例えばオレンジの図柄が３個並んだとき、メダル１０枚を払出したり、鈴の図柄が３個並んだとき、メダル１５枚を払出したりするものであり、有効ライン上の図柄組合せが、例えば「７、７、７」のときには、ボーナスゲームに切換えるようにしており、これらの入賞は、各入賞ライン毎に定められていることから、刊行物記載の発明は、本願発明と同様に、各入賞ライン毎に、入賞ライン上に揃える入賞の絵柄の組合わせ（オレンジの図柄が３個；鈴の図柄が３個；７、７、７）と、入賞の種類（メダル１０枚を払出し；メダル１５枚を払出し；ボーナスゲーム）を定め、該定めた入賞の種類に基づいて、ゲームを行った結果により得られる入賞の種類を、入賞ライン上の絵柄の組合せにより定めるものであると認められるから、
両者は、「複数種類の絵柄が表に配置された回転可能なリールを複数個備え、前記絵柄をリール表示窓上で停止させ、前記リールの停止時における前記リール表示窓上の絵柄の組み合わせから入賞を定め、所定数のメダルを払い戻す遊戯台であって、各入賞ライン毎に、入賞ライン上に揃える入賞の絵柄の組合わせと、入賞の種類を定め、該定めた入賞の種類に基づいて、ゲームを行った結果により得られる入賞の種類を、該ゲームにおいて投入したメダルの枚数に対応して予め定められた入賞ライン上の絵柄の組合せにより定める遊戯台。」である点で一致し、次の点で相違する。
（相違点）
　本願発明が、「同じ入賞の種類について、各入賞ライン毎に異なる前記入賞絵柄の組合せがある」のに対し、上記刊行物にはこの点が記載されていない点。
　上記相違点を検討すると、上記刊行物の段落【００２６】ないし【００２８】には、ボーナスゲームについて記載され、「７、７、７」が右上り斜ライン７ｄ上に揃ったときは、ボーナスゲーム時に左側のリール１ａの表示窓左下位置に「ＪＡＣ」がくれば４５枚のメダル払出しが行なわれ、・・・中央のリール１ｂの表示窓中央位置に、右側のリール１ｃの表示窓右上位置に夫々「ＪＡＣ」がくれば４５枚のメダル払出しが行なわれる・・・「７、７、７」が中央ライン７ａ上に揃ったときは、ボーナスゲームの入賞払出し数は夫々１５枚となる。・・・又普通ゲーム時に２メダル投入した場合には、特定ラインが中央ライン７ａ、上段ライン７ｂ、下段ライン７ｃに限定されるのでボーナスゲームの入賞払出し数は１５枚か３０枚かになる。」と記載され、さらに、段落【００３２】には、普通ゲームの図柄３に選択的に併記されているシンボル３ａが３つ揃ったか否かでボーナスゲームの入賞の有無を判断するスロットマシンにも本発明を適用することができると記載されていることから、上記刊行物には、入賞ライン上の絵柄の組合せが同じ（ＪＡＣ）であっても、入賞ラインが異なると入賞の種類が異なること（例えば、４５枚の払い出し；３０枚の払い出し；１５枚の払い出し）が記載されていると認められる（なお、この構成は、本願出願当初の明細書に【請求項４】として記載されている）。このようなゲームが公知である以上、逆に、同じ入賞の種類（例えば、１５枚の払い出し）について着目し、各入賞ライン毎の入賞絵柄の組合せを異ならせてみようとすること（例えば、オレンジの図柄が３個の組合せ；鈴の図柄が３個の組合せ）は、当業者であれば容易に思い付くことであり、このようにしたことによる格別の作用効果も認められない。
　
６．むすび
　以上のとおり、本願発明は、上記刊行物に基いて当業者が容易に発明をすることができたものであるから、特許法第２９条２項の規定により特許を受けることができず、本願の他の請求項に係る発明を検討するまでもなく、本願は拒絶をすべきものである。
　よって、結論のとおり審決する。